(57)【要約】  再生信号品質評価装置（１８）において、パターン検出器（１８１）は、ＰＲＭＬ復号によって得られる符号系列から、ＰＲＭＬ復号過程のＰＲ等化によって得られる再生信号系列のゼロクロス点相当部分を含む所定のパターンを検出する。距離差演算器（１８２）は、再生信号系列の検出されたパターン対応部分のサンプル点であって、検出されたパターン後の符号系列の等化期待値において相対的に大きく重み付けられている符号に対応するサンプル点の値を、検出されたパターンに応じた演算式で演算して、再生信号系列と再生信号系列の二つの理想的な遷移系列のそれぞれとの距離差を算出する。ばらつき演算器（１８３）は、算出された距離差のばらつきを算出する。
2009122642.tif 000002
【特許請求の範囲】
【請求項１】
光ディスクの再生信号の品質を評価する装置であって、
ＰＲＭＬ復号によって得られる符号系列から、ＰＲＭＬ復号過程のＰＲ等化によって得られる再生信号系列のゼロクロス点相当部分を含む所定のパターンを検出するパターン検出器と、
前記再生信号系列の前記検出されたパターン対応部分のサンプル点であって、前記検出されたパターン後の前記符号系列の等化期待値において相対的に大きく重み付けられている符号に対応するサンプル点の値を、前記検出されたパターンに応じた演算式で演算して、前記再生信号系列と前記再生信号系列の二つの理想的な遷移系列のそれぞれとの距離差を算出する距離差演算器と、
前記算出された距離差のばらつきを算出するばらつき演算器とを備えている
ことを特徴とする再生信号品質評価装置。
【請求項２】
請求項１の再生信号品質評価装置において、
前記二つの理想的な遷移系列は、いずれも、ＰＲＭＬ復号において選択され得るパスに係るものである
ことを特徴とする再生信号品質評価装置。
【請求項３】
請求項２の再生信号品質評価装置において、
前記ＰＲ等化は、ａ及びｂを正数とするＰＲ（ａ、ｂ、ｂ、ａ）等化である
ことを特徴とする再生信号品質評価装置。
【請求項４】
請求項３の再生信号品質評価装置において、
前記距離差演算器は、前記整数ｂで重み付けられている符号に対応する一つ又は二つのサンプル点の値から前記距離差を算出する
ことを特徴とする再生信号品質評価装置。
【請求項５】
請求項２の再生信号品質評価装置において、
前記ＰＲ等化は、ａ、ｂ及びｃを正数とするＰＲ（ａ、ｂ、ｃ、ｂ、ａ）等化である
ことを特徴とする再生信号品質評価装置。
【請求項６】
請求項５の再生信号品質評価装置において、
前記距離差演算器は、前記整数ｃで重み付けられている符号に対応するサンプル点の値から前記距離差を算出する
ことを特徴とする再生信号品質評価装置。
【請求項７】
請求項１の再生信号品質評価装置において、
前記ばらつき演算器は、少なくとも前記算出された距離差の標準偏差を算出する
ことを特徴とする再生信号品質評価装置。
【請求項８】
請求項７の再生信号品質評価装置において、
前記ばらつき演算器は、前記算出された距離差の平均値を算出する
ことを特徴とする再生信号品質評価装置。
【請求項９】
光ディスクの再生信号の品質を評価する方法であって、
ＰＲＭＬ復号によって得られる符号系列から、ＰＲＭＬ復号過程のＰＲ等化によって得られる再生信号系列のゼロクロス点相当部分を含む所定のパターンを検出するステップと、
前記再生信号系列の前記検出されたパターン対応部分のサンプル点であって、前記検出されたパターン後の前記再生信号系列の等化期待値において相対的に大きく重み付けられている符号に対応するサンプル点の値を、前記検出されたパターンに応じた演算式で演算して、前記再生信号系列と前記再生信号系列の二つの理想的な遷移系列のそれぞれとの距離差を算出するステップと、
前記算出された距離差のばらつきを算出するステップとを備えている
ことを特徴とする再生信号品質評価方法。
【請求項１０】
請求項９の再生信号品質評価方法において、
前記二つの理想的な遷移系列は、いずれも、ＰＲＭＬ復号において選択され得るパスに係るものである
ことを特徴とする再生信号品質評価方法。
【請求項１１】
請求項１０の再生信号品質評価方法において、
前記ＰＲ等化は、ａ及びｂを正数とするＰＲ（ａ，ｂ，ｂ，ａ）等化である
ことを特徴とする再生信号品質評価方法。
【請求項１２】
請求項１１の再生信号品質評価方法において、
前記距離差を算出するステップでは、前記整数ｂで重み付けられている符号に対応する一つ又は二つのサンプル点の値から前記距離差が算出される
ことを特徴とする再生信号品質評価方法。
【請求項１３】
請求項１０の再生信号品質評価方法において、
前記ＰＲ等化は、ａ、ｂ及びｃを正数とするＰＲ（ａ，ｂ，ｃ，ｂ，ａ）等化である
ことを特徴とする再生信号品質評価方法。
【請求項１４】
請求項１３の再生信号品質評価方法において、
前記距離差を算出するステップでは、前記整数ｃで重み付けられている符号に対応するサンプル点の値から前記距離差が算出される
ことを特徴とする再生信号品質評価方法。
【請求項１５】
請求項９の再生信号品質評価方法において、
前記ばらつきを算出するステップでは、少なくとも前記算出された距離差の標準偏差が算出される
ことを特徴とする再生信号品質評価方法。
【請求項１６】
請求項１５の再生信号品質評価方法において、
前記ばらつきを算出するステップでは、前記算出された距離差の平均値が算出される
ことを特徴とする再生信号品質評価方法。
【発明の詳細な説明】
【技術分野】
【０００１】
本発明は、光ディスクから読み出されて最尤復号される信号の品質を評価する装置及び方法に関する。
【背景技術】
【０００２】
次世代ＤＶＤのような高密度記録を行う光ディスク装置では、再生信号に含まれる符号間干渉が増大し、さらにはＳＮ比が低下するため、装置信頼性を向上させる必要がある。このため、光ディスク装置にもハードディスクドライブに広く用いられているＰＲＭＬ（Partial Response Maximum Likelihood）復号が採用されている。【０００３】
ＰＲＭＬ復号では、最も確からしい状態遷移列を選択することによって記録符号系列が復号される。具体的には、再生信号を再生クロックに同期してサンプリングし、再生信号系列と符号系列の等化期待値とのユークリッド距離に基づいて最尤復号が行なわれる。したがって、コンパレータを用いてビットごとの判別を行う従来方式とは異なり、ＰＲＭＬ復号では、コンパレータの検出パルスが変化する近傍のみならずサンプリングされたすべての再生信号が復号結果に影響する。例えば、再生信号のジッタ値が同じであっても、ＰＲＭＬ復号の誤りが発生する場合としない場合がある。したがって、再生信号のジッタを指標として、ＰＲＭＬ復号を採用した光ディスク装置の誤り率を予想することは困難であり、ＰＲＭＬ復号に適した誤り率の測定方法が求められる。【０００４】
従来、ＰＲＭＬ復号において最も誤りが生じやすい二つのパス（すなわち、二つのパス間のユークリッド距離が最小となるもの）を取り得る状態遷移の組み合わせを選択し、このような二つのパスの確からしさの差の絶対値をもとにして、光ディスク再生信号の品質を評価しているものがある（例えば、特許文献１参照）。
【特許文献１】特許第３９２６６８８号公報
【発明の開示】
【発明が解決しようとする課題】
【０００５】
近年、光ディスク装置の高倍速化が進み、ＣＤでは５２倍速以上、ＤＶＤでは１６倍速以上でデータの読み取りが可能となっている。今後、次世代ＤＶＤ装置に対しても記録再生の高倍速化が要求されることが予想される。しかし、従来の再生信号評価装置において最尤復号結果ごとにユークリッド距離を求める回路を高速かつ低消費電力で動作させるには限界がある。【０００６】
また、今後さらなる高密度記録再生を行う光ディスク装置では、より符号間干渉を許容した高次のＰＲ等化の採用が考えられる。かかる場合、復号によって得られる符号系列からより多くのパターンを検出してこれらパターンごとに累積値を求めなければならなくなるが、この処理を高速かつ低消費電力で行うにも限界がある。さらには、高密度記録を実現する光ディスクでは波形歪による誤り率が支配的な場合もあり得るため、波形歪のある再生信号についてもその品質を正しく評価できなければならない。【０００７】
上記問題に鑑み、本発明は、より少ない計算量で光ディスク再生信号の品質を評価することを課題とする。
【課題を解決するための手段】
【０００８】
上記課題を解決するために本発明によって次の手段を講じた。すなわち、本発明の一態様に係る光ディスクの再生信号の品質を評価する装置又は方法は、ＰＲＭＬ復号によって得られる符号系列から、ＰＲＭＬ復号過程のＰＲ等化によって得られる再生信号系列のゼロクロス点相当部分を含む所定のパターンを検出するパターン検出器又はステップと、再生信号系列の検出されたパターン対応部分のサンプル点であって、検出されたパターン後の符号系列の等化期待値において相対的に大きく重み付けられている符号に対応するサンプル点の値を、検出されたパターンに応じた演算式で演算して、再生信号系列と再生信号系列の二つの理想的な遷移系列のそれぞれとの距離差を算出する距離差演算器又はステップと、算出された距離差のばらつきを算出するばらつき演算器又はステップとを備えている。【０００９】
これによると、検出されたパターン後の符号系列の等化期待値に対して支配的となるサンプル点に絞って再生信号系列と二つの理想的な遷移系列のそれぞれとの距離差が算出される。したがって、算出される距離差の精度を比較的高く保持しつつ当該算出に係る計算量を従来よりも低減することができる。【００１０】
好ましくは、二つの理想的な遷移系列は、いずれも、ＰＲＭＬ復号において選択され得るパスに係るものであるとする。これにより、距離差算出に係る演算対象をさらに絞り込んで計算量をより一層低減することができる。
【発明の効果】
【００１１】
本発明によると、光ディスク再生信号の品質評価の精度・信頼性を高く保ったまま、当該評価に係る計算量を従来よりも低減することができる。これにより、今後のさらなる高密度記録再生やより高次のＰＲ等化などでも高速かつ低消費電力で光ディスク再生信号の品質評価を行うことができる。
【図面の簡単な説明】
【００１２】
【図１】図１は、本発明の一態様に係る再生信号品質評価装置を含む光ディスク装置の構成図である。
【図２】図２は、第１の実施形態に係る再生信号品質評価装置の構成図である。
【図３】図３は、ＰＲ（１，２，２，１）等化においてゼロクロスレベルと交差する二つのパスを列挙した図である。
【図４】図４は、第２の実施形態に係る再生信号品質評価装置の構成図である。
【図５】図５は、第３の実施形態に係る再生信号品質評価装置の構成図である。
【図６】図６は、ＰＲ（１，２，２，２，１）等化においてゼロクロスレベルと交差する二つのパスを抜粋した図である。
【符号の説明】
【００１３】
１８１  パターン検出器
１８２  距離差演算器
１８３  ばらつき演算器
【発明を実施するための最良の形態】
【００１４】
以下、本発明を実施するための最良の形態について、図面を参照しながら説明する。図１は、本発明の一態様に係る再生信号品質評価装置を含む光ディスク装置の構成を示す。光ディスク装置１００において、光ディスク１０１から光ヘッド１０によって読み出された再生信号はプリアンプ１１によって増幅されてＡＣカップリングされた後、ＡＧＣ１２に入力される。ＡＧＣ１２では後段の波形等化器１３の出力が一定振幅となるようゲインが調整される。ＡＧＣ１２から出力された再生信号は波形等化器１３によって波形整形される。波形整形された再生信号はＰＬＬ回路１４とＡ／Ｄ変換器１５に入力される。ＰＬＬ回路１４は再生信号から再生クロックを抽出する。Ａ／Ｄ変換器１５はＰＬＬ回路１４から出力された再生クロックで再生信号をサンプリングする。サンプル値は適応フィルタ１６に入力される。適応フィルタ１６は入力された信号の周波数特性を所定のＰＲ等化特性で補正する。適応フィルタ１６から出力された再生信号系列に対してビタビ回路１７は最尤復号を行って２値化データ、すなわち、符号系列を生成する。【００１５】
再生信号品質評価装置１８は、光ディスク１０１の再生信号の品質を評価する。再生信号品質評価装置１８において、パターン検出回路１８１は、ビタビ回路１７から出力された符号系列から、再生信号系列のゼロクロス点相当部分を含む所定のパターンを検出する。ゼロクロス点とは、再生信号系列をコンパレータを用いて二値化した場合にコンパレータの出力が変化する点のことをいう。【００１６】
距離差演算器１８２は、適応フィルタ１６から出力された再生信号系列の当該検出されたパターン対応部分のサンプル点の値であって、当該検出されたパターン後の符号系列の等化期待値において相対的に大きく重み付けられている符号に対応するサンプル点の値を、当該検出されたパターンに応じた演算式で演算する。これにより、距離差演算器１８２は、再生信号系列と再生信号系列の二つの理想的な遷移系列のそれぞれとの距離差を算出する。距離差とは、二つの理想的な遷移系列をパスＡ及びパスＢとすると、各サンプル点の値とパスＡに係る各等化期待値との距離の累積値Ｐａと、各サンプル点の値とパスＢに係る各等化期待値との距離の累積値Ｐｂとの差（｜Ｐａ−Ｐｂ｜）のことである。なお、パターン検出器１８１によるパターン検出タイミングと距離差演算器１８２への再生信号系列入力タイミングとを合わせるために、適応フィルタ１６から出力された再生信号系列は、図示しない遅延回路で遅延処理されてから距離差演算器１８２に入力される。【００１７】
具体的には、距離差演算器１８２は、適応フィルタ１６やビタビ回路１７などに同期して、入力された再生信号系列をすべての演算式で演算しておき、パターン検出器１８１で所定のパターンが検出されたときに、当該パターンに該当する演算式の結果を出力するようにするとよい。【００１８】
ばらつき演算器１８３は、距離差演算器１８２から出力された距離差｜Ｐａ−Ｐｂ｜のばらつきを算出する。具体的には、ばらつき演算器１８３は、少なくとも距離差｜Ｐａ−Ｐｂ｜の標準偏差σを算出し、さらに必要に応じて距離差｜Ｐａ−Ｐｂ｜の平均値Ｐａｖｅを算出する。これら値から再生信号の誤り率を求めることができる。例えば、ｄｍｉｎを二つのパスの最小距離として、次式で表される誤り率Ｐ（σ，Ｐａｖｅ）を再生信号品質を評価する上での指標とすることができる。【００１９】
【数１】
2009122642.tif 000003
【００２０】
また、平均値Ｐａｖｅを“０”と仮定すると、次式で定義されるＭＬＳＥ（Maximum Likelihood Sequence Error）を再生信号品質を評価する上での指標とすることができる。【００２１】
【数２】
2009122642.tif 000004
【００２２】
次に、再生信号品質評価装置１８のいくつかの構成例及びその動作について説明する。なお、光ディスク１０１には最小極性反転間隔が２であるＲＬＬ（１，７）符号が記録されているものとする。【００２３】
（第１の実施形態）
図２は、第１の実施形態に係る再生信号品質評価装置１８の構成を示す。ここで、距離差演算器１８２にはＰＲ（１，２，２，１）等化された再生信号系列が入力されるものとする。ＰＲ（１，２，２，１）等化の場合、符号系列の等化期待値は０から６までの７値のいずれかを取る。本実施形態では等化期待値“３”がゼロクロスレベルに相当する。パターン検出器１８１は、入力される符号系列から、再生信号系列のゼロクロス点相当部分を含む所定のパターンとして、（００ｘ１１）、（１１ｘ００）、（００ｘ１０）及び（１１ｘ０１）の４つの５ビットパターンを検出する。“ｘ”は任意の１ビット値である。再生信号系列がＰＲ（１，２，２，１）等化される場合、各パターンの４ビット目及び５ビット目の符号は、いずれも、検出されたパターン後の符号系列の等化期待値において“２”で重み付けられている。すなわち、これら二つの符号は、検出されたパターン後の符号系列の等化期待値に対して支配的となる符号である。したがって、距離差演算器１８２は、各パターンの４ビット目及び５ビット目の符号に対応する再生信号系列の二つのサンプル点の値ｙｋ−２及びｙｋ−１から距離差を算出する。【００２４】
図３は、ＰＲ（１，２，２，１）等化においてゼロクロスレベルと交差する二つのパス（パス対）を列挙したものである。Ｉ群に属する４つのパス対はパターン（００ｘ１１）に対応するものである。パターン（００ｘ１１）が検出された場合、二つのサンプル点の等化期待値は“１”→“３”と推移するか（パスＡ）又は“３”→“５”と推移する（パスＢ）。ＩＩ群に属する４つのパス対はパターン（１１ｘ００）に対応するものである。パターン（１１ｘ００）が検出された場合、二つのサンプル点の等化期待値は“３”→“１”と推移するか（パスＡ）又は“５”→“３”と推移する（パスＢ）。ＩＩＩ群に属する２つのパス対はパターン（００ｘ１０）に対応するものである。パターン（００ｘ１０）が検出された場合、二つのサンプル点の等化期待値は“１”→“２”と推移するか（パスＡ）又は“３→“４”と推移する（パスＢ）。ＩＶ群に属する２つのパス対はパターン（１１ｘ０１）に対応するものである。パターン（１１ｘ０１）が検出された場合、二つのサンプル点の等化期待値は“３”→“２”と推移するか（パスＡ）又は“５”→“４”と推移する（パスＢ）。いずれの群に属するパス対も互いの距離ｄｍｉｎは√（２２＋２２）である。【００２５】
図２に戻り、距離差演算器１８２は、パターン検出器１８１によって検出されたパターンに応じた演算式で二つのサンプル点の値を演算して、再生信号系列と二つの理想的な遷移系列のそれぞれとの距離差｜Ｐａ−Ｐｂ｜を算出する。検出されたパターンと演算式との対応関係は次の通りである。
（１）パターン（００ｘ１１）の場合  （Ｂｋ−２−Ｄｋ−２）＋（Ｄｋ−１−ＦＫ−１）…演算式Ｉ
（２）パターン（１１ｘ００）の場合  （Ｄｋ−２−Ｆｋ−２）＋（Ｂｋ−１−ＤＫ−１）…演算式ＩＩ
（３）パターン（００ｘ１０）の場合  （Ｂｋ−２−Ｄｋ−２）＋（Ｃｋ−１−ＥＫ−１）…演算式ＩＩＩ
（４）パターン（１１ｘ０１）の場合  （Ｄｋ−２−Ｆｋ−２）＋（Ｃｋ−１−ＥＫ−１）…演算式ＩＶ
ただし、Ｂｊ＝（ｙｊ−１）２、Ｃｊ＝（ｙｊ−２）２、Ｄｊ＝（ｙｊ−３）２、Ｅｊ＝（ｙｊ−４）２、Ｆｊ＝（ｙｊ−５）２である。例えば、パターン（１１１００）が検出され、再生信号系列の二つのサンプル点の値が“４．７”、“２．７”であるとすると、距離差演算器１８２はこれら値を演算式ＩＩで次のように演算して、
Ｐａ−Ｐｂ＝（４．７−３．０）２−（４．７−５．０）２＋（２．７−１．０）２−（２．７−３．０）２＝５．６
距離差｜Ｐａ−Ｐｂ｜として“５．６”を算出する。【００２６】
以上、本実施形態によると、ＰＲ（１，２，２，１）等化を採用する光ディスク装置において、光ディスクから再生された信号の品質を従来よりも少ない計算量で評価することができる。サンプル点を一つにすることで計算量をより低減することができる。また、ＰＲ等化を一般化して、ａ及びｂを正数とするＰＲ（ａ，ｂ，ｂ，ａ）等化としても同様の効果が得られる。【００２７】
（第２の実施形態）
図３に示したパスのうち、ＩＩＩ群に属するパスＡ及びＩＶ群に属するパスＢは、最小極性反転間隔が２であるＲＬＬ（１，７）符号という条件下でのＰＲＭＬ復号では選択されることのないパスである。すなわち、ＩＩＩ群ではパスＢが、ＩＶ群ではパスＡが必ず選択される。第１の実施形態では、ＰＲＭＬ復号で選択されることのないパスを１ビット誤りが生じている仮想パスとして考慮することで、Ｉ群やＩＩ群では検出できない、光ディスク１０１の記録面に形成されている最短ピットや最短マークの繰り返しにあたるパターン（００１１０）や（１１００１）を、検出することができる。これにより、再生信号系列のすべてのゼロクロス点について再生信号の品質評価を行うことができる。しかし、ＰＲＭＬ復号において最も誤りが生じやすい二つのパスの確からしさの差を算出するのであれば仮想パスは考慮しなくてもよい。すなわち、ＩＩＩ群及びＩＶ群に属するパスは距離差演算器１８２の演算対象から除外しても構わない。【００２８】
図４は、第２の実施形態に係る再生信号品質評価装置１８の構成を示す。パターン検出器１８１は、入力される符号系列から、図３に示したＩ群及びＩＩ群に係る二つの５ビットパターン（００ｘ１１）及び（１１ｘ００）のみを検出する。距離差演算器１８２は、パターン検出器１８１によって検出されたパターンに応じて演算式Ｉ及び演算式ＩＩのいずれか一方を選択して距離差｜Ｐａ−Ｐｂ｜を算出する。このように、本実施形態によると、第１の実施形態よりも少ない計算量で光ディスク再生信号の品質を評価することができる。【００２９】
（第３の実施形態）
図５は、第３の実施形態に係る再生信号品質評価装置１８の構成を示す。ここで、距離差演算器１８２にはＰＲ（１，２，２，２，１）等化された再生信号系列が入力されるものとする。ＰＲ（１，２，２，２，１）等化の場合、符号系列の等化期待値は０から８までの９値のいずれかを取る。本実施形態では等化期待値“４”がゼロクロスレベルに相当する。パターン検出器１８１は、入力される符号系列から、再生信号系列のゼロクロス点相当部分を含む所定のパターンとして、（００ｘ１１）及び（１１ｘ００）の二つの５ビットパターンを検出する。再生信号系列がＰＲ（１，２，２，２，１）等化される場合、各パターンの５ビット目の符号は、検出されたパターン後の符号系列の等化期待値において“２”で重み付けられている。すなわち、当該符号は、検出されたパターン後の符号系列の等化期待値に対して支配的となる符号である。したがって、距離差演算器１８２は、当該符号に対応する再生信号系列のサンプル点の値ｙｋ−２から距離差を算出する。【００３０】
図６は、ＰＲ（１，２，２，２，１）等化においてゼロクロスレベルと交差する二つのパス（パス対）のうちパターン（００ｘ１１）に対応するものを示す。パターン（００ｘ１１）が検出された場合のパス対は図６に示したように全部で９つあり、サンプル点の等化期待値は“３”（パスＡ）又は“５”（パスＢ）である（Ｉ群）。図示は省略するが、パターン（１１ｘ００）が検出された場合のパス対もまた全部で９つあり、サンプル点の等化期待値は“３”（パスＡ）又は“５”（パスＢ）である（ＩＩ群）。いずれの群に属するパス対も互いの距離ｄｍｉｎは“２”である。【００３１】
図５に戻り、距離差演算器１８２は、パターン検出器１８１によって検出されたパターンに応じた演算式でサンプル点の値を演算して、再生信号系列と、二つのパスのそれぞれとの距離差｜Ｐａ−Ｐｂ｜を算出する。本実施形態の場合、Ｉ群でもＩＩ群でもサンプル点の等化期待値は同じであるため、パターン（００ｘ１１）及びパターン（１１ｘ００）のいずれかが検出された場合、距離差演算器１８２は演算式として、
Ｃｋ−２−Ｅｋ−２
を適用する。ただし、Ｃｊ＝（ｙｊ−３）２、Ｅｊ＝（ｙｊ−５）２である。【００３２】
以上、本実施形態によると、ＰＲ（１，２，２，２，１）等化を採用する光ディスク装置において、光ディスクから再生された信号の品質を従来よりも少ない計算量で評価することができる。ＰＲ等化を一般化して、ａ、ｂ及びｃを正数とするＰＲ（ａ，ｂ，ｃ，ｂ，ａ）等化としても同様の効果が得られる。また、サンプル点を二つあるいは三つに増やす、又は第１の実施形態と同様に仮想パスを考慮することで距離差のばらつき演算の精度を高めることができる。【００３３】
なお、各実施形態に係る再生信号品質評価装置１８は単一の半導体チップで構成可能であるほか、複数の半導体チップに分散して構成することができる。単一の半導体チップで構成する場合、さらに、適応フィルタ１６やビタビ回路１７までもを含むようにしてもよい。【００３４】
また、各実施形態において、距離差演算器１８２における２乗計算を乗算及び加算に置き換える手法が公知である（例えば、特許文献１参照）。この置き換えによって、距離差演算器１８２の回路構成を簡略化することができる。【００３５】
本発明の一態様に係る再生信号品質評価装置１８は光ディスク装置１００の信頼性を改善する制御に用いることができる。例えば、図１において、波形等化器４の周波数特性を変化させながら、ばらつき演算器１８２から出力される標準偏差から信号品質指標を求め、最小値を示す周波数特性を設定することで、光ディスク装置１００の信頼性を改善することができる。また、ばらつき演算器１８２から出力される平均値が０となるように、又はばらつき演算器１８３から出力される標準偏差から信号品質指標を求めて当該指標値が最小となるように記録パワーや記録補償量を制御して、光ディスク装置１００と光ディスク１０１の組み合わせにおいて記録パラメータの最適化を行うことで、光ディスク装置１００の信頼性を改善することができる。また、上記信号品質指標は光ヘッド１０のサーボ制御の調整にも用いることができる。例えば、フォーカスサーボ、トラッキングサーボ、ディスクチルト制御、レンズ球面収差補正制御などである。
【産業上の利用可能性】
【００３６】
本発明に係る再生信号品質評価装置は、より少ない計算量で光ディスク再生信号の品質評価ができるため、ブルーレイディスク装置やＤＶＤ装置などの光ディスク装置で再生される信号の品質を評価する装置などとして有用である。
【図１】
2009122642.tif 000005
【図２】
2009122642.tif 000006
【図３】
2009122642.tif 000007
【図４】
2009122642.tif 000008
【図５】
2009122642.tif 000009
【図６】
2009122642.tif 000010
【手続補正書】
【提出日】平成22年7月20日(2010.7.20)
【手続補正１】
【補正対象書類名】明細書
【補正対象項目名】全文
【補正方法】変更
【補正の内容】
【発明の詳細な説明】
【技術分野】
【０００１】
本発明は、光ディスクから読み出されて最尤復号される信号の品質を評価する装置及び方法に関する。
【背景技術】
【０００２】
次世代ＤＶＤのような高密度記録を行う光ディスク装置では、再生信号に含まれる符号間干渉が増大し、さらにはＳＮ比が低下するため、装置信頼性を向上させる必要がある。このため、光ディスク装置にもハードディスクドライブに広く用いられているＰＲＭＬ（Partial Response Maximum Likelihood）復号が採用されている。
【０００３】
ＰＲＭＬ復号では、最も確からしい状態遷移列を選択することによって記録符号系列が復号される。具体的には、再生信号を再生クロックに同期してサンプリングし、再生信号系列と符号系列の等化期待値とのユークリッド距離に基づいて最尤復号が行なわれる。したがって、コンパレータを用いてビットごとの判別を行う従来方式とは異なり、ＰＲＭＬ復号では、コンパレータの検出パルスが変化する近傍のみならずサンプリングされたすべての再生信号が復号結果に影響する。例えば、再生信号のジッタ値が同じであっても、ＰＲＭＬ復号の誤りが発生する場合としない場合がある。したがって、再生信号のジッタを指標として、ＰＲＭＬ復号を採用した光ディスク装置の誤り率を予想することは困難であり、ＰＲＭＬ復号に適した誤り率の測定方法が求められる。
【０００４】
従来、ＰＲＭＬ復号において最も誤りが生じやすい二つのパス（すなわち、二つのパス間のユークリッド距離が最小となるもの）を取り得る状態遷移の組み合わせを選択し、このような二つのパスの確からしさの差の絶対値をもとにして、光ディスク再生信号の品質を評価しているものがある（例えば、特許文献１参照）。
【特許文献１】特許第３９２６６８８号公報
【発明の開示】
【発明が解決しようとする課題】
【０００５】
近年、光ディスク装置の高倍速化が進み、ＣＤでは５２倍速以上、ＤＶＤでは１６倍速以上でデータの読み取りが可能となっている。今後、次世代ＤＶＤ装置に対しても記録再生の高倍速化が要求されることが予想される。しかし、従来の再生信号評価装置において最尤復号結果ごとにユークリッド距離を求める回路を高速かつ低消費電力で動作させるには限界がある。
【０００６】
また、今後さらなる高密度記録再生を行う光ディスク装置では、より符号間干渉を許容した高次のＰＲ等化の採用が考えられる。かかる場合、復号によって得られる符号系列からより多くのパターンを検出してこれらパターンごとに累積値を求めなければならなくなるが、この処理を高速かつ低消費電力で行うにも限界がある。さらには、高密度記録を実現する光ディスクでは波形歪による誤り率が支配的な場合もあり得るため、波形歪のある再生信号についてもその品質を正しく評価できなければならない。
【０００７】
上記問題に鑑み、本発明は、より少ない計算量で光ディスク再生信号の品質を評価することを課題とする。
【課題を解決するための手段】
【０００８】
上記課題を解決するために本発明によって次の手段を講じた。すなわち、本発明の一態様に係る光ディスクの再生信号の品質を評価する装置又は方法は、ＰＲＭＬ復号によって得られる符号系列から、ＰＲＭＬ復号過程のＰＲ等化によって得られる再生信号系列のゼロクロス点相当部分を含む所定のパターンを検出するパターン検出器又はステップと、再生信号系列の検出されたパターン対応部分のサンプル点であって、検出されたパターン後の符号系列の等化期待値において相対的に大きく重み付けられている符号に対応するサンプル点の値を、検出されたパターンに応じた演算式で演算して、再生信号系列と再生信号系列の二つの理想的な遷移系列のそれぞれとの距離差を算出する距離差演算器又はステップと、算出された距離差のばらつきを算出するばらつき演算器又はステップとを備えている。
【０００９】
これによると、検出されたパターン後の符号系列の等化期待値に対して支配的となるサンプル点に絞って再生信号系列と二つの理想的な遷移系列のそれぞれとの距離差が算出される。したがって、算出される距離差の精度を比較的高く保持しつつ当該算出に係る計算量を従来よりも低減することができる。
【００１０】
好ましくは、二つの理想的な遷移系列は、いずれも、ＰＲＭＬ復号において選択され得るパスに係るものであるとする。これにより、距離差算出に係る演算対象をさらに絞り込んで計算量をより一層低減することができる。
【発明の効果】
【００１１】
本発明によると、光ディスク再生信号の品質評価の精度・信頼性を高く保ったまま、当該評価に係る計算量を従来よりも低減することができる。これにより、今後のさらなる高密度記録再生やより高次のＰＲ等化などでも高速かつ低消費電力で光ディスク再生信号の品質評価を行うことができる。
【図面の簡単な説明】
【００１２】
【図１】図１は、本発明の一態様に係る再生信号品質評価装置を含む光ディスク装置の構成図である。
【図２】図２は、第１の実施形態に係る再生信号品質評価装置の構成図である。
【図３】図３は、ＰＲ（１，２，２，１）等化においてゼロクロスレベルと交差する二つのパスを列挙した図である。
【図４】図４は、第２の実施形態に係る再生信号品質評価装置の構成図である。
【図５】図５は、第３の実施形態に係る再生信号品質評価装置の構成図である。
【図６】図６は、ＰＲ（１，２，２，２，１）等化においてゼロクロスレベルと交差する二つのパスを抜粋した図である。
【符号の説明】
【００１３】
１８１  パターン検出器
１８２  距離差演算器
１８３  ばらつき演算器
【発明を実施するための最良の形態】
【００１４】
以下、本発明を実施するための最良の形態について、図面を参照しながら説明する。図１は、本発明の一態様に係る再生信号品質評価装置を含む光ディスク装置の構成を示す。光ディスク装置１００において、光ディスク１０１から光ヘッド１０によって読み出された再生信号はプリアンプ１１によって増幅されてＡＣカップリングされた後、ＡＧＣ１２に入力される。ＡＧＣ１２では後段の波形等化器１３の出力が一定振幅となるようゲインが調整される。ＡＧＣ１２から出力された再生信号は波形等化器１３によって波形整形される。波形整形された再生信号はＰＬＬ回路１４とＡ／Ｄ変換器１５に入力される。ＰＬＬ回路１４は再生信号から再生クロックを抽出する。Ａ／Ｄ変換器１５はＰＬＬ回路１４から出力された再生クロックで再生信号をサンプリングする。サンプル値は適応フィルタ１６に入力される。適応フィルタ１６は入力された信号の周波数特性を所定のＰＲ等化特性で補正する。適応フィルタ１６から出力された再生信号系列に対してビタビ回路１７は最尤復号を行って２値化データ、すなわち、符号系列を生成する。
【００１５】
再生信号品質評価装置１８は、光ディスク１０１の再生信号の品質を評価する。再生信号品質評価装置１８において、パターン検出回路１８１は、ビタビ回路１７から出力された符号系列から、再生信号系列のゼロクロス点相当部分を含む所定のパターンを検出する。ゼロクロス点とは、再生信号系列をコンパレータを用いて二値化した場合にコンパレータの出力が変化する点のことをいう。
【００１６】
距離差演算器１８２は、適応フィルタ１６から出力された再生信号系列の当該検出されたパターン対応部分のサンプル点の値であって、当該検出されたパターン後の符号系列の等化期待値において相対的に大きく重み付けられている符号に対応するサンプル点の値を、当該検出されたパターンに応じた演算式で演算する。これにより、距離差演算器１８２は、再生信号系列と再生信号系列の二つの理想的な遷移系列のそれぞれとの距離差を算出する。距離差とは、二つの理想的な遷移系列をパスＡ及びパスＢとすると、各サンプル点の値とパスＡに係る各等化期待値との距離の累積値Ｐａと、各サンプル点の値とパスＢに係る各等化期待値との距離の累積値Ｐｂとの差（｜Ｐａ−Ｐｂ｜）のことである。なお、パターン検出器１８１によるパターン検出タイミングと距離差演算器１８２への再生信号系列入力タイミングとを合わせるために、適応フィルタ１６から出力された再生信号系列は、図示しない遅延回路で遅延処理されてから距離差演算器１８２に入力される。
【００１７】
具体的には、距離差演算器１８２は、適応フィルタ１６やビタビ回路１７などに同期して、入力された再生信号系列をすべての演算式で演算しておき、パターン検出器１８１で所定のパターンが検出されたときに、当該パターンに該当する演算式の結果を出力するようにするとよい。
【００１８】
ばらつき演算器１８３は、距離差演算器１８２から出力された距離差｜Ｐａ−Ｐｂ｜のばらつきを算出する。具体的には、ばらつき演算器１８３は、少なくとも距離差｜Ｐａ−Ｐｂ｜の標準偏差σを算出し、さらに必要に応じて距離差｜Ｐａ−Ｐｂ｜の平均値Ｐａｖｅを算出する。これら値から再生信号の誤り率を求めることができる。例えば、ｄｍｉｎを二つのパスの最小距離として、次式で表される誤り率Ｐ（σ，Ｐａｖｅ）を再生信号品質を評価する上での指標とすることができる。
【００１９】
【数１】
2009122642.tif 000011
【００２０】
また、平均値Ｐａｖｅを“０”と仮定すると、次式で定義されるＭＬＳＥ（Maximum Likelihood Sequence Error）を再生信号品質を評価する上での指標とすることができる。
【００２１】
【数２】
2009122642.tif 000012
【００２２】
次に、再生信号品質評価装置１８のいくつかの構成例及びその動作について説明する。なお、光ディスク１０１には最小極性反転間隔が２であるＲＬＬ（１，７）符号が記録されているものとする。
【００２３】
（第１の実施形態）
図２は、第１の実施形態に係る再生信号品質評価装置１８の構成を示す。ここで、距離差演算器１８２にはＰＲ（１，２，２，１）等化された再生信号系列が入力されるものとする。ＰＲ（１，２，２，１）等化の場合、符号系列の等化期待値は０から６までの７値のいずれかを取る。本実施形態では等化期待値“３”がゼロクロスレベルに相当する。パターン検出器１８１は、入力される符号系列から、再生信号系列のゼロクロス点相当部分を含む所定のパターンとして、（００ｘ１１）、（１１ｘ００）、（００ｘ１０）及び（１１ｘ０１）の４つの５ビットパターンを検出する。“ｘ”は任意の１ビット値である。再生信号系列がＰＲ（１，２，２，１）等化される場合、各パターンの４ビット目及び５ビット目の符号は、いずれも、検出されたパターン後の符号系列の等化期待値において“２”で重み付けられている。すなわち、これら二つの符号は、検出されたパターン後の符号系列の等化期待値に対して支配的となる符号である。したがって、距離差演算器１８２は、各パターンの４ビット目及び５ビット目の符号に対応する再生信号系列の二つのサンプル点の値ｙｋ−２及びｙｋ−１から距離差を算出する。
【００２４】
図３は、ＰＲ（１，２，２，１）等化においてゼロクロスレベルと交差する二つのパス（パス対）を列挙したものである。Ｉ群に属する４つのパス対はパターン（００ｘ１１）に対応するものである。パターン（００ｘ１１）が検出された場合、二つのサンプル点の等化期待値は“１”→“３”と推移するか（パスＡ）又は“３”→“５”と推移する（パスＢ）。ＩＩ群に属する４つのパス対はパターン（１１ｘ００）に対応するものである。パターン（１１ｘ００）が検出された場合、二つのサンプル点の等化期待値は“３”→“１”と推移するか（パスＡ）又は“５”→“３”と推移する（パスＢ）。ＩＩＩ群に属する２つのパス対はパターン（００ｘ１０）に対応するものである。パターン（００ｘ１０）が検出された場合、二つのサンプル点の等化期待値は“１”→“２”と推移するか（パスＡ）又は“３”→“４”と推移する（パスＢ）。ＩＶ群に属する２つのパス対はパターン（１１ｘ０１）に対応するものである。パターン（１１ｘ０１）が検出された場合、二つのサンプル点の等化期待値は“３”→“２”と推移するか（パスＡ）又は“５”→“４”と推移する（パスＢ）。いずれの群に属するパス対も互いの距離ｄｍｉｎは√（２２＋２２）である。
【００２５】
図２に戻り、距離差演算器１８２は、パターン検出器１８１によって検出されたパターンに応じた演算式で二つのサンプル点の値を演算して、再生信号系列と二つの理想的な遷移系列のそれぞれとの距離差｜Ｐａ−Ｐｂ｜を算出する。検出されたパターンと演算式との対応関係は次の通りである。
（１）パターン（００ｘ１１）の場合  （Ｂｋ−２−Ｄｋ−２）＋（Ｄｋ−１−ＦＫ−１）…演算式Ｉ
（２）パターン（１１ｘ００）の場合  （Ｄｋ−２−Ｆｋ−２）＋（Ｂｋ−１−ＤＫ−１）…演算式ＩＩ
（３）パターン（００ｘ１０）の場合  （Ｂｋ−２−Ｄｋ−２）＋（Ｃｋ−１−ＥＫ−１）…演算式ＩＩＩ
（４）パターン（１１ｘ０１）の場合  （Ｄｋ−２−Ｆｋ−２）＋（Ｃｋ−１−ＥＫ−１）…演算式ＩＶ
ただし、Ｂｊ＝（ｙｊ−１）２、Ｃｊ＝（ｙｊ−２）２、Ｄｊ＝（ｙｊ−３）２、Ｅｊ＝（ｙｊ−４）２、Ｆｊ＝（ｙｊ−５）２である。例えば、パターン（１１１００）が検出され、再生信号系列の二つのサンプル点の値が“４．７”、“２．７”であるとすると、距離差演算器１８２はこれら値を演算式ＩＩで次のように演算して、
Ｐａ−Ｐｂ＝（４．７−３．０）２−（４．７−５．０）２＋（２．７−１．０）２−（２．７−３．０）２＝５．６
距離差｜Ｐａ−Ｐｂ｜として“５．６”を算出する。
【００２６】
以上、本実施形態によると、ＰＲ（１，２，２，１）等化を採用する光ディスク装置において、光ディスクから再生された信号の品質を従来よりも少ない計算量で評価することができる。サンプル点を一つにすることで計算量をより低減することができる。また、ＰＲ等化を一般化して、ａ及びｂを正数とするＰＲ（ａ，ｂ，ｂ，ａ）等化としても同様の効果が得られる。
【００２７】
（第２の実施形態）
図３に示したパスのうち、ＩＩＩ群に属するパスＡ及びＩＶ群に属するパスＢは、最小極性反転間隔が２であるＲＬＬ（１，７）符号という条件下でのＰＲＭＬ復号では選択されることのないパスである。すなわち、ＩＩＩ群ではパスＢが、ＩＶ群ではパスＡが必ず選択される。第１の実施形態では、ＰＲＭＬ復号で選択されることのないパスを１ビット誤りが生じている仮想パスとして考慮することで、Ｉ群やＩＩ群では検出できない、光ディスク１０１の記録面に形成されている最短ピットや最短マークの繰り返しにあたるパターン（００１１０）や（１１００１）を、検出することができる。これにより、再生信号系列のすべてのゼロクロス点について再生信号の品質評価を行うことができる。しかし、ＰＲＭＬ復号において最も誤りが生じやすい二つのパスの確からしさの差を算出するのであれば仮想パスは考慮しなくてもよい。すなわち、ＩＩＩ群及びＩＶ群に属するパスは距離差演算器１８２の演算対象から除外しても構わない。
【００２８】
図４は、第２の実施形態に係る再生信号品質評価装置１８の構成を示す。パターン検出器１８１は、入力される符号系列から、図３に示したＩ群及びＩＩ群に係る二つの５ビットパターン（００ｘ１１）及び（１１ｘ００）のみを検出する。距離差演算器１８２は、パターン検出器１８１によって検出されたパターンに応じて演算式Ｉ及び演算式ＩＩのいずれか一方を選択して距離差｜Ｐａ−Ｐｂ｜を算出する。このように、本実施形態によると、第１の実施形態よりも少ない計算量で光ディスク再生信号の品質を評価することができる。
【００２９】
（第３の実施形態）
図５は、第３の実施形態に係る再生信号品質評価装置１８の構成を示す。ここで、距離差演算器１８２にはＰＲ（１，２，２，２，１）等化された再生信号系列が入力されるものとする。ＰＲ（１，２，２，２，１）等化の場合、符号系列の等化期待値は０から８までの９値のいずれかを取る。本実施形態では等化期待値“４”がゼロクロスレベルに相当する。パターン検出器１８１は、入力される符号系列から、再生信号系列のゼロクロス点相当部分を含む所定のパターンとして、（００ｘ１１）及び（１１ｘ００）の二つの５ビットパターンを検出する。再生信号系列がＰＲ（１，２，２，２，１）等化される場合、各パターンの５ビット目の符号は、検出されたパターン後の符号系列の等化期待値において“２”で重み付けられている。すなわち、当該符号は、検出されたパターン後の符号系列の等化期待値に対して支配的となる符号である。したがって、距離差演算器１８２は、当該符号に対応する再生信号系列のサンプル点の値ｙｋ−２から距離差を算出する。
【００３０】
図６は、ＰＲ（１，２，２，２，１）等化においてゼロクロスレベルと交差する二つのパス（パス対）のうちパターン（００ｘ１１）に対応するものを示す。パターン（００ｘ１１）が検出された場合のパス対は図６に示したように全部で９つあり、サンプル点の等化期待値は“３”（パスＡ）又は“５”（パスＢ）である（Ｉ群）。図示は省略するが、パターン（１１ｘ００）が検出された場合のパス対もまた全部で９つあり、サンプル点の等化期待値は“３”（パスＡ）又は“５”（パスＢ）である（ＩＩ群）。いずれの群に属するパス対も互いの距離ｄｍｉｎは“２”である。
【００３１】
図５に戻り、距離差演算器１８２は、パターン検出器１８１によって検出されたパターンに応じた演算式でサンプル点の値を演算して、再生信号系列と、二つのパスのそれぞれとの距離差｜Ｐａ−Ｐｂ｜を算出する。本実施形態の場合、Ｉ群でもＩＩ群でもサンプル点の等化期待値は同じであるため、パターン（００ｘ１１）及びパターン（１１ｘ００）のいずれかが検出された場合、距離差演算器１８２は演算式として、
Ｃｋ−２−Ｅｋ−２
を適用する。ただし、Ｃｊ＝（ｙｊ−３）２、Ｅｊ＝（ｙｊ−５）２である。
【００３２】
以上、本実施形態によると、ＰＲ（１，２，２，２，１）等化を採用する光ディスク装置において、光ディスクから再生された信号の品質を従来よりも少ない計算量で評価することができる。ＰＲ等化を一般化して、ａ、ｂ及びｃを正数とするＰＲ（ａ，ｂ，ｃ，ｂ，ａ）等化としても同様の効果が得られる。また、サンプル点を二つあるいは三つに増やす、又は第１の実施形態と同様に仮想パスを考慮することで距離差のばらつき演算の精度を高めることができる。
【００３３】
なお、各実施形態に係る再生信号品質評価装置１８は単一の半導体チップで構成可能であるほか、複数の半導体チップに分散して構成することができる。単一の半導体チップで構成する場合、さらに、適応フィルタ１６やビタビ回路１７までもを含むようにしてもよい。
【００３４】
また、各実施形態において、距離差演算器１８２における２乗計算を乗算及び加算に置き換える手法が公知である（例えば、特許文献１参照）。この置き換えによって、距離差演算器１８２の回路構成を簡略化することができる。
【００３５】
本発明の一態様に係る再生信号品質評価装置１８は光ディスク装置１００の信頼性を改善する制御に用いることができる。例えば、図１において、波形等化器１３の周波数特性を変化させながら、ばらつき演算器１８３から出力される標準偏差から信号品質指標を求め、最小値を示す周波数特性を設定することで、光ディスク装置１００の信頼性を改善することができる。また、ばらつき演算器１８３から出力される平均値が０となるように、又はばらつき演算器１８３から出力される標準偏差から信号品質指標を求めて当該指標値が最小となるように記録パワーや記録補償量を制御して、光ディスク装置１００と光ディスク１０１の組み合わせにおいて記録パラメータの最適化を行うことで、光ディスク装置１００の信頼性を改善することができる。また、上記信号品質指標は光ヘッド１０のサーボ制御の調整にも用いることができる。例えば、フォーカスサーボ、トラッキングサーボ、ディスクチルト制御、レンズ球面収差補正制御などである。
【産業上の利用可能性】
【００３６】
本発明に係る再生信号品質評価装置は、より少ない計算量で光ディスク再生信号の品質評価ができるため、ブルーレイディスク装置やＤＶＤ装置などの光ディスク装置で再生される信号の品質を評価する装置などとして有用である。
【手続補正２】
【補正対象書類名】特許請求の範囲
【補正対象項目名】全文
【補正方法】変更
【補正の内容】
【特許請求の範囲】
【請求項１】
光ディスクの再生信号の品質を評価する装置であって、
ＰＲＭＬ復号によって得られる符号系列から、ＰＲＭＬ復号過程のＰＲ等化によって得られる再生信号系列のゼロクロス点相当部分を含む所定のパターンを検出するパターン検出器と、
前記再生信号系列の前記検出されたパターン対応部分のサンプル点であって、前記検出されたパターン後の符号系列の等化期待値において相対的に大きく重み付けられている符号に対応するサンプル点の値を、前記検出されたパターンに応じた演算式で演算して、前記再生信号系列と前記再生信号系列の二つの理想的な遷移系列のそれぞれとの距離差を算出する距離差演算器と、
前記算出された距離差のばらつきを算出するばらつき演算器とを備えている
ことを特徴とする再生信号品質評価装置。
【請求項２】
請求項１の再生信号品質評価装置において、
前記二つの理想的な遷移系列は、いずれも、ＰＲＭＬ復号において選択され得るパスに係るものである
ことを特徴とする再生信号品質評価装置。
【請求項３】
請求項２の再生信号品質評価装置において、
前記ＰＲ等化は、ａ及びｂを正数とするＰＲ（ａ、ｂ、ｂ、ａ）等化である
ことを特徴とする再生信号品質評価装置。
【請求項４】
請求項３の再生信号品質評価装置において、
前記距離差演算器は、前記整数ｂで重み付けられている符号に対応する一つ又は二つのサンプル点の値から前記距離差を算出する
ことを特徴とする再生信号品質評価装置。
【請求項５】
請求項２の再生信号品質評価装置において、
前記ＰＲ等化は、ａ、ｂ及びｃを正数とするＰＲ（ａ、ｂ、ｃ、ｂ、ａ）等化である
ことを特徴とする再生信号品質評価装置。
【請求項６】
請求項５の再生信号品質評価装置において、
前記距離差演算器は、前記整数ｃで重み付けられている符号に対応するサンプル点の値から前記距離差を算出する
ことを特徴とする再生信号品質評価装置。
【請求項７】
請求項１の再生信号品質評価装置において、
前記ばらつき演算器は、少なくとも前記算出された距離差の標準偏差を算出する
ことを特徴とする再生信号品質評価装置。
【請求項８】
請求項７の再生信号品質評価装置において、
前記ばらつき演算器は、前記算出された距離差の平均値を算出する
ことを特徴とする再生信号品質評価装置。
【請求項９】
光ディスクの再生信号の品質を評価する方法であって、
ＰＲＭＬ復号によって得られる符号系列から、ＰＲＭＬ復号過程のＰＲ等化によって得られる再生信号系列のゼロクロス点相当部分を含む所定のパターンを検出するステップと、
前記再生信号系列の前記検出されたパターン対応部分のサンプル点であって、前記検出されたパターン後の符号系列の等化期待値において相対的に大きく重み付けられている符号に対応するサンプル点の値を、前記検出されたパターンに応じた演算式で演算して、前記再生信号系列と前記再生信号系列の二つの理想的な遷移系列のそれぞれとの距離差を算出するステップと、
前記算出された距離差のばらつきを算出するステップとを備えている
ことを特徴とする再生信号品質評価方法。
【請求項１０】
請求項９の再生信号品質評価方法において、
前記二つの理想的な遷移系列は、いずれも、ＰＲＭＬ復号において選択され得るパスに係るものである
ことを特徴とする再生信号品質評価方法。
【請求項１１】
請求項１０の再生信号品質評価方法において、
前記ＰＲ等化は、ａ及びｂを正数とするＰＲ（ａ，ｂ，ｂ，ａ）等化である
ことを特徴とする再生信号品質評価方法。
【請求項１２】
請求項１１の再生信号品質評価方法において、
前記距離差を算出するステップでは、前記整数ｂで重み付けられている符号に対応する一つ又は二つのサンプル点の値から前記距離差が算出される
ことを特徴とする再生信号品質評価方法。
【請求項１３】
請求項１０の再生信号品質評価方法において、
前記ＰＲ等化は、ａ、ｂ及びｃを正数とするＰＲ（ａ，ｂ，ｃ，ｂ，ａ）等化である
ことを特徴とする再生信号品質評価方法。
【請求項１４】
請求項１３の再生信号品質評価方法において、
前記距離差を算出するステップでは、前記整数ｃで重み付けられている符号に対応するサンプル点の値から前記距離差が算出される
ことを特徴とする再生信号品質評価方法。
【請求項１５】
請求項９の再生信号品質評価方法において、
前記ばらつきを算出するステップでは、少なくとも前記算出された距離差の標準偏差が算出される
ことを特徴とする再生信号品質評価方法。
【請求項１６】
請求項１５の再生信号品質評価方法において、
前記ばらつきを算出するステップでは、前記算出された距離差の平均値が算出される
ことを特徴とする再生信号品質評価方法。
【手続補正３】
【補正対象書類名】図面
【補正対象項目名】全図
【補正方法】変更
【補正の内容】
【図１】
2009122642.tif 000013
【図２】
2009122642.tif 000014
【図３】
2009122642.tif 000015
【図４】
2009122642.tif 000016
【図５】
2009122642.tif 000017
【図６】
2009122642.tif 000018
【国際調査報告】
2009122642.tif 000019
2009122642.tif 000020
2009122642.tif 000021
2009122642.tif 000022